(57)【要約】【課題】構造を簡潔にして多種類の印刷に対応できるようにする。【解決手段】蛍光管供給装置７によって棒状に形成された蛍光管３を長手方向に沿って印刷位置５へ供給する。印刷位置５に供給された蛍光管３を回転支持体２７によって蛍光管中心軸線Ｘを支点として回転自在で、かつ、長手方向に沿って移動自在に支持する一方、その蛍光管３に対して駆動手段３３により回転動力が与えられる転写胴２３をその回転軸線Ｙが交差するよう配置し、その転写胴２３の外周面上に版胴３９を進退自在に配置する。版胴３９には、文字、記号、模様等が設けられた原版５５を取付け、必要に合わせて原版５５を交換する。【選択図】      図１
2004209795.tif 000002
【特許請求の範囲】
【請求項１】
棒状に形成された蛍光管を長手方向に沿って印刷位置へ供給する蛍光管供給装置と、前記印刷位置に設けられ蛍光管を蛍光管中心軸線を支点として回転自在で、かつ、長手方向に沿って移動自在に支持する回転支持体と、その回転支持体に支持された棒状の蛍光管の外周面に対して回転軸心が交差して接触し合うと共に駆動手段により回転動力が与えられる転写胴と、その転写胴の外周面に転写する文字、記号、模様等が設けられた原版を取付ける版胴とを備え、前記版胴は、転写胴の外周面に対して進退自在となっていることを特徴とする棒状に形成された蛍光管の外周面印刷装置。
【請求項２】
版胴はインキ供給装置を有し、前記版胴及びインキ供給装置を一組として、転写胴の外周面に沿って複数配置することを特徴とする請求項１記載の棒状に形成された蛍光管の外周面印刷装置。
【発明の詳細な説明】
【０００１】
【発明の属する技術分野】
この発明は、直管と呼ばれる棒状に形成された蛍光管の外周面印刷装置に関する。
【０００２】
【従来の技術】
従来、円形断面を有する長尺材（例えば、棒状の蛍光管を含む）の表面に刻印または印刷を施す手段は既に多数のものが公知となっている。
【０００３】
その具体例の一つとして、外周面に刻印または版面が設けられた円板を自由に回転できるよう支持し、円形断面を有する長尺物を、その長さ方向の移動および回転はできるが、その半径方向の移動はできないように支持すると共に、円板の外周面を、その運動方向が長尺材の長手方向に対して所定角度傾くように、長尺材の表面に押当て、長尺材を長さ方向に引張って移動させることにより、円板および長尺材を互いに圧接した状態で回転させる構造のものがある（特許文献１参照）。
【０００４】
【特許文献１】
特開昭５７−１６７２６８号公報
【０００５】
【発明が解決しようとする課題】
特許文献１のものは、長尺物をその長手方向に引張って移動させるだけの簡単な操作により長尺材の表面に刻印、または、印刷を施すことができる発明となっているが、この発明は刻印、または、版面が設けられた円板によって一種類の刻印、または、印刷を連続して行なうタイプとなっている。
【０００６】
このため、多色刷り、あるいは、多種類の刻印、または、印刷に対応することはできない。この場合、刻印、または、版面が設けられた円板を新たに交換することで対応可能となるが、装置が大がかりになると共にコストの面でも望ましくない。
【０００７】
そこで、この発明にあっては、構造を簡潔にすると共に、棒状の蛍光管に対して連続して多色刷り、あるいは、多種類の印刷に対応できるよう工夫した棒状に形成された蛍光管の外周面印刷装置を提供することを目的としている。
【０００８】
【課題を解決するための手段】
前記目的を達成するために、この発明の請求項１にあっては、棒状に形成された蛍光管を長手方向に沿って印刷位置へ供給する蛍光管供給装置と、前記印刷位置に設けられ蛍光管を蛍光管中心軸線を支点として回転自在で、かつ、長手方向に沿って移動自在に支持する回転支持体と、その回転支持体に支持された棒状の蛍光管の外周面に対して回転軸心が交差して接触し合うと共に駆動手段により回転動力が与えられる転写胴と、その転写胴の外周面に転写する文字、記号、模様等が設けられた原版を取付ける版胴とを備え、前記版胴は、転写胴の外周面に対して進退自在となっていることを特徴とする。
【０００９】
これにより、棒状の蛍光管は蛍光管供給装置によって印刷位置に順次送り込まれる。印刷位置に送り込まれた棒状の蛍光管は、転写胴と交差して接触し合う。この時、蛍光管と転写胴とは交差した接触圧となるため、回転する転写胴の回転トルクによって、蛍光管には回転運動が与えられる回転トルクの外に、蛍光管をその長手方向に沿って移動させる移動トルクが与えられる結果、転写胴に転写された文字、記号、模様等は蛍光管の外周面に対して印刷ずれを起こすことなく螺旋状に印刷されるようになる。
【００１０】
一方、別途異なる文字、記号、模様等を印刷するには、文字、記号、模様等が設けられた原版を新たに交換することで、多種類の印刷に対応することが可能となる。
【００１１】
また、この発明の請求項２にあっては、版胴にインキ供給装置を設け、前記版胴及びインキ供給装置を一組として、転写胴の外周面に沿って複数配置することを特徴とする。
【００１２】
これにより、版胴及びインキ供給装置を、転写胴の外周面に沿って効率よく配置することが可能になると共に、全体の構造を簡潔にできる。
【００１３】
また、各インキ供給装置のインキの色を選択して使用することで、多色刷りが行えるようになる。
【００１４】
【発明の実施の形態】
以下、図１乃至８に基づきこの発明の実施の形態について具体的に説明する。
【００１５】
図１は、この発明にかかる棒状に形成された蛍光管の外周面印刷装置１の概要斜視図を示している。
【００１６】
印刷装置１は、直管と呼ばれる棒状の蛍光管３をその長手方向に沿って印刷位置５へ向けて供給する蛍光管供給装置７を有している。
【００１７】
蛍光管供給装置７は、転動ローラ９によって構成された搬送ライン１１によって送られてくる棒状の蛍光管３をその長手方向に沿って強制的に印刷位置５へ向けて供給する第１，第２の供給ローラ１３，１５を有している。第１，第２の供給ローラ１３，１５は、棒状の蛍光管３を左右へ動くことなく長手方向に沿って送り出せるよう中央部位がくびれた鼓状に形成されている。
【００１８】
第１，第２の供給ローラ１３，１５は、伝導ベルト１７で伝導連結され、第１の供給ローラ１３のローラ軸１９に設けられた駆動モータ２１によって回転動力が与えられるようになっている。
【００１９】
印刷位置５は、図３に示すように上方に径の大きい印刷用の転写胴２３が配置される一方、その印刷位置５において、蛍光管３をその中心軸線Ｘに対して回転自在で、かつ、長手方向に沿って移動自在に支持するようになっている。
【００２０】
具体的には、図示の如く、Ｖ字状に形成された支持部材２５の溝壁２５ａに回転支持体２７を対向させて複数配置した構造となっている。回転支持体２７は、Ｖ字状の溝壁２５ａに固定された球面受座２７ａに球体２７ｂが３６０度回転自在に組付けられた形状となっている。
【００２１】
これにより、球体２７ｂは、大きな摺動抵抗が起きることのない点接触によって蛍光管３を回転自在に左右から挟持するよう支持すると共に、長手方向に対しても軽快に移動自在に支持することが可能となっている。
【００２２】
なお、支持部材２５は、ハンドル２８を回動操作することで、矢印イ方向の調整が可能となり、印刷位置５の位置調整が行なえるようになっている。
【００２３】
転写胴２３は、図６に示すように転写胴軸２９が径の大きいメインギヤ３１に支持され、メインギヤ３１は駆動手段となる駆動モータ３３から伝導ベルト３５、駆動ギア３７を介して回転動力が与えられるようになっている。
【００２４】
転写胴２３の外周面は、所定の幅に形成されたゴムローラ２３ａとなっていて、図４に示すように印刷位置５の蛍光管３に対して転写胴軸２９の回転軸心Ｙが所定の角度θをもって交差した配置構造となっている。
【００２５】
転写胴２３の交差角θは、転写胴２３が回転Ｚした時に、その回転トルクＴによって転写胴２３と接触し合う棒状の蛍光管３に回転運動を与える回転トルクＴ１の外に、蛍光管３をその長手方向に沿って移動させる移動トルクＴ２が得られる角度に設定されている。
【００２６】
転写胴２３の外径は、真上から図１左側へ向け所定の領域にわたって第１，第２，第３，第４の版胴３９，４１，４３，４５（なお、第５の版胴は外してある）が所定の間隔を有して配置される大きさの寸法に設定されている。
【００２７】
第１，第２，第３，第４の版胴３９，４１，４３，４５はそれぞれインキ供給装置４７，４９，５１，５３（なお、第５のインキ供給装置は外してある）を備え、各版胴３９，４１，４３，４５及びインキ供給装置４７，４９，５１，５３は同一構造となっている。ここでは、第１の版胴３９とインキ供給装置４７について説明する。
【００２８】
第１の版胴３９は、図２に示すように帯板状の原版５５を取付ける取付け部３９ａを有し、その取付け部３９ａに対して帯板状の原版５５を、例えば、両面テープ等の接着手段を用いて巻付けることで取付け可能となっている。この場合、足踏式のハンドル５６を操作することで、転写胴２３の回転が可能となり、原版５５と転写胴２３との位置合せ調整が可能となる。
【００２９】
なお、帯板状の原版５５は薄い鉄板、あるいは、亜鉛板の上に文字、記号、模様等が設けられた形状となっている。
【００３０】
第１の版胴３９は、調整用操作部５７の回転操作により、転写胴２３の外周面に対して進退可能となっており、第１の版胴３９を転写胴２３の外周面から離すことで、原版５５の取付けが容易に行えるようになっている。また、第１の版胴３９を転写胴２３の外周面に強く接触させることで原版５５の文字、記号、模様等が転写胴２３の外周面となるゴムローラ２３ａに転写される凸版式オフセット印刷タイプとなっている。この場合、凸版式オフセット印刷タイプに特定されず、凹版式オフセット印刷タイプとすることも可能である。
【００３１】
さらに、第１の版胴３９は、前記転写胴２３の回転と同期した回転が与えられるようになっている。
【００３２】
具体的には、図６に示すように、転写胴２３の転写胴軸２９が装着された径の大きいメインギヤ３１と噛み合う小ギヤ５９のギヤ軸６１に前記版胴３９が一体に固定支持された構造となっていて、メインギヤ３１と小ギヤ５９とのギヤ比によりメインギヤ３１が回転することで小ギヤ５９も回転し、版胴３９は転写胴２３と同期した回転動力が与えられるようになる。これにより、伝導系の面からも転写胴２３と版胴３９との関係は、効率よく伝達される簡潔にまとまった構造となっている。
【００３３】
インキ供給装置４７は、図５に示すようにインキケース６３内に、インキ供給部６５と、インキ供給部６５からのインキを練り上げ均一として版胴３９の原版５５にインキを供給する複数の供給ローラ６７を有している。インキケース６３はヒンジ６９を支点としてインキ供給位置と待機位置とに回動自在に支持され、操作部７１を操作することで、供給ローラ６７と原版５５が接触し合う状態でインキケース６３のロック及び、ロック解除が可能となっている。なお、供給ローラ６７は、駆動モータ６８により回転動力が与えられるようになっているが、インキ供給時の状態を見るために、手動ハンドル７０による回転も可能となっている。
【００３４】
一方、転写胴２３に対する版胴３９の進退調整は、図７に示すように、版胴３９が一体に支持された小ヤギ５９のギヤ軸６１をウオームホイール７３に軸受（図示していない）を介して偏心αして回転自在に支持されている。
【００３５】
ウオームホイール７３は、ウオーム７５と噛み合い、ウオーム７５のベベルギヤ７７は正面側に設けられた調整用操作部５７のベベルギヤ７９と噛み合う構造となっている。
【００３６】
したがって、調整用操作部５７を回転させることで、各ベベルギヤ７７、７９が回転し、さらにウオーム７５を介してウオームホイール７３が回転するようになる。この時、ウオームホイール７３に装着された版胴３９は、例えば、ウオームホイール７３の偏位量だけ転写胴２３から離れるようになるから、原版５５の取付け完了後、反対方向に調整用操作部５７を回転させることで、メインギヤ３１と小ギヤ５９の噛み合い状態が確保されるようになっている。
【００３７】
このように構成された蛍光管の外周面印刷装置１によれば、棒状の蛍光管３は蛍光管供給装置７によって印刷位置５に順次送り込まれる。印刷位置５に送り込まれた棒状の蛍光管３は、転写胴２３と交差して接触し合う。交差して接触し合う蛍光管３は、回転する転写胴２３の回転トルクによって蛍光管中心軸線Ｘを支点とする回転運動が与えられる回転トルクＴ１の外に、蛍光管３をその長手方向に沿って移動させる移動トルクＴ２が与えられる。この時、蛍光管３は回転支持体２７によって支持されているため、回転運動及び長手方向への移動が軽快に行われ、転写胴２３に転写された文字、記号、模様等は蛍光管３の外周面に対して印刷ずれを起こすことなく、図８に示すように螺旋状に印刷されるようになる。
【００３８】
この場合、一色刷りの場合には、第１〜第４の版胴３９，４１，４３，４５のいずれか１つを選択して使用することで印刷が行なえる。
【００３９】
また、文字、記号、模様等を変更したい場合には、転写胴２３の外周面を溶剤できれいに拭き取った後、新たな原版５５を版胴３９に取付けることで対応可能となる。
【００４０】
一方、多色刷りの場合には、例えば、第１の版胴３９のインキ供給装置４７のインキの色を黒、第２の版胴４１のインキ供給装置４９のインキの色を青、第３の版胴４３のインキ供給装置５１のインキの色を赤というように選択して使用することで３色刷りが行なえるようになる。
【００４１】
したがって、第１〜第４まで全部使用することで、４色刷りが、あるいは第１，第２をそれぞれ選択して使用することで２色刷りの印刷が容易に得られるようになる。しかも、第１〜第４の版胴３９，４１，４３，４５及びインキ供給装置４７，４９，５１，５３は転写胴２３の外周面に沿って効率よく簡潔に配置される構造とすることが可能となる。
【００４２】
【発明の効果】
以上、説明したように、この発明の請求項１によれば、印刷位置の蛍光管は回転支持体によって、蛍光管中心軸線を支点とする回転と、長手方向への移動が軽快に行なわれるようになるため、蛍光管の外周面に対して印刷ずれ等を起こすことなくきれいな螺旋状の印刷を得ることができる。
【００４３】
また、転写胴の外周面上に設けられた版胴に対して原版を新たに交換することで多種類の印刷に対応することができる。
【００４４】
また、この発明の請求項２によれば、版胴及びインキ供給装置を、転写胴の外周面に沿って効率よく配置することが可能になると共に、全体の構造を簡潔にできる。
【００４５】
また、各インキ供給装置のインキの色を選択して使用することで、多色刷りを行なうことができる。
【図面の簡単な説明】
【図１】この発明にかかる棒状に形成された蛍光管の外周面印刷装置の概要斜視図。
【図２】転写胴と版胴との一部分の拡大斜視図。
【図３】印刷位置の拡大斜視図。
【図４】転写胴と蛍光管との関係を示した動作説明図。
【図５】インキ供給装置の一部分の概要斜視図。
【図６】転写胴と版胴との伝導機構説明図。
【図７】版胴の進退調整説明図。
【図８】蛍光管に文字、記号が螺旋状に印刷された一部分の概要説明図。
【符号の説明】
３…蛍光管
５…印刷装置
７…蛍光管供給装置
２３…転写胴
２７…回転支持体
３３…駆動手段（駆動モータ）
３９…第１の版胴
４７…インキ供給装置
５５…原版
【図１】
2004209795.tif 000003
【図２】
2004209795.tif 000004
【図３】
2004209795.tif 000005
【図４】
2004209795.tif 000006
【図５】
2004209795.tif 000007
【図６】
2004209795.tif 000008
【図７】
2004209795.tif 000009
【図８】
2004209795.tif 000010